(57)【要約】【課題】表示装置に表示されたコンテンツを閲覧する複数の閲覧者の間で交流を促す。【解決手段】デジタルサイネージシステム１０の利用者は、予め、サーバ１４に個人情報を含む利用者情報を登録しておく。閲覧者識別部５６は、表示部４２に表示されたコンテンツ２４ａを閲覧する閲覧者を識別する。関心度判定部５８は、当該コンテンツ２４ａに対する当該閲覧者の関心度を判定する。関心度は、例えば、当該閲覧者が当該コンテンツ２４ａを閲覧している時間に基づいて判定される。個人情報表示制御部６０は、コンテンツ２４ａに対する閲覧者の関心度が所定値以上である場合に、予め登録された当該閲覧者の個人情報を当該コンテンツ２４ａと共に表示部４２に表示させる。【選択図】図４
2018160213.tif 000002
【特許請求の範囲】
【請求項１】
コンテンツを表示する表示部と、
前記コンテンツを閲覧する閲覧者を識別する閲覧者識別部と、
前記コンテンツに対する前記閲覧者の関心度が所定値以上となった場合に、予め登録された前記閲覧者の個人情報を前記コンテンツと共に前記表示部に表示させる個人情報表示制御部と、
を備えることを特徴とする表示装置。
【請求項２】
前記閲覧者は、他者から話しかけられたいか否かを予め登録し、
前記個人情報表示制御部は、前記関心度が所定値以上となり、且つ、当該閲覧者が他者から話しかけられたいと登録している場合に、前記閲覧者の個人情報を表示させる、
ことを特徴とする、請求項１に記載の表示装置。
【請求項３】
前記個人情報表示制御部は、前記閲覧者が他者から話しかけられたい者であることを示す文字又は図形を表示させる、
ことを特徴とする、請求項２に記載の表示装置。
【請求項４】
前記予め登録された前記閲覧者の個人情報は複数の項目を有し、
前記個人情報表示制御部は、前記コンテンツの内容に応じて、前記複数の項目の中から選択された項目の内容を表示させる、
ことを特徴とする、請求項１に記載の表示装置。
【請求項５】
前記コンテンツを閲覧する複数の閲覧者の前記個人情報において共通点が存在する場合に、当該複数の閲覧者に交流を促す通知を行う交流促進通知部と、
をさらに備えることを特徴とする、請求項１に記載の表示装置。
【請求項６】
前記交流促進通知部は、前記複数の閲覧者がいずれも他者から話しかけられたいと予め登録している場合に、前記複数の閲覧者の間に交流を促す音声を出力する、
ことを特徴とする、請求項５に記載の表示装置。
【請求項７】
前記コンテンツを閲覧する複数の閲覧者の会話を取得する音声入力部と、
をさらに備え、
前記会話の内容に応じて前記表示部に表示されるコンテンツの内容が変更される、
ことを特徴とする請求項１に記載の表示装置。
【請求項８】
コンピュータを、
コンテンツを表示する表示部と、
前記コンテンツを閲覧する閲覧者を識別する閲覧者識別部と、
前記コンテンツに対する前記閲覧者の関心度が所定値以上となった場合に、予め登録された前記閲覧者の個人情報を前記コンテンツと共に前記表示部に表示させる個人情報表示制御部と、
として機能させることを特徴とするプログラム。
【発明の詳細な説明】
【技術分野】
【０００１】
本発明は、表示装置及びプログラムに関する。
【背景技術】
【０００２】
従来、公共の場などに設置され、例えば広告などのコンテンツを表示する表示装置が知られている。このような表示装置として、例えばデジタルサイネージシステムが知られている。
【発明の概要】
【発明が解決しようとする課題】
【０００３】
表示装置に表示されたコンテンツを複数の閲覧者が閲覧している場合であっても、当該複数の閲覧者の間においては、なかなか会話などの交流は生まれないものである。特に、年の離れた者同士、異性同士、あるいは一見共通点がなさそうな人同士などの間では、どちらも遠慮してしまってなかなか交流が生まれない。
【０００４】
表示されたコンテンツに複数の閲覧者が関心を持っているならば、当該コンテンツという共通の話題が交流のきっかけになり得るものの、ある閲覧者にしてみれば、他の閲覧者が関心を持ってコンテンツを見ているのか、関心なくただ眺めているだけなのか判断がつかない場合がある。また、他の閲覧者が初対面の者である場合は、他の閲覧者の素性が分からないことが、他の閲覧者に話しかけづらくなることの一つの要因となっている。
【０００５】
本発明の目的は、表示装置に表示されたコンテンツを閲覧する複数の閲覧者の間で交流を促すことにある。
【課題を解決するための手段】
【０００６】
請求項１に係る発明は、コンテンツを表示する表示部と、前記コンテンツを閲覧する閲覧者を識別する閲覧者識別部と、前記コンテンツに対する前記閲覧者の関心度が所定値以上となった場合に、予め登録された前記閲覧者の個人情報を前記コンテンツと共に前記表示部に表示させる個人情報表示制御部と、を備えることを特徴とする表示装置である。
【０００７】
請求項２に係る発明は、前記閲覧者は、他者から話しかけられたいか否かを予め登録し、前記個人情報表示制御部は、前記関心度が所定値以上となり、且つ、当該閲覧者が他者から話しかけられたいと登録している場合に、前記閲覧者の個人情報を表示させる、ことを特徴とする、請求項１に記載の表示装置である。
【０００８】
請求項３に係る発明は、前記個人情報表示制御部は、前記閲覧者が他者から話しかけられたい者であることを示す文字又は図形を表示させる、ことを特徴とする、請求項２に記載の表示装置である。
【０００９】
請求項４に係る発明は、前記予め登録された前記閲覧者の個人情報は複数の項目を有し、前記個人情報表示制御部は、前記コンテンツの内容に応じて、前記複数の項目の中から選択された項目の内容を表示させる、ことを特徴とする、請求項１に記載の表示装置である。
【００１０】
請求項５に係る発明は、前記コンテンツを閲覧する複数の閲覧者の前記個人情報において共通点が存在する場合に、当該複数の閲覧者に交流を促す通知を行う交流促進通知部と、をさらに備えることを特徴とする、請求項１に記載の表示装置である。
【００１１】
請求項６に係る発明は、前記交流促進通知部は、前記複数の閲覧者がいずれも他者から話しかけられたいと予め登録している場合に、前記複数の閲覧者の間に交流を促す音声を出力する、ことを特徴とする、請求項５に記載の表示装置である。
【００１２】
請求項７に係る発明は、前記コンテンツを閲覧する複数の閲覧者の会話を取得する音声入力部と、をさらに備え、前記会話の内容に応じて前記表示部に表示されるコンテンツの内容が変更される、ことを特徴とする請求項１に記載の表示装置である。
【００１３】
請求項８に係る発明は、コンピュータを、コンテンツを表示する表示部と、前記コンテンツを閲覧する閲覧者を識別する閲覧者識別部と、前記コンテンツに対する前記閲覧者の関心度が所定値以上となった場合に、予め登録された前記閲覧者の個人情報を前記コンテンツと共に前記表示部に表示させる個人情報表示制御部と、として機能させることを特徴とするプログラムである。
【発明の効果】
【００１４】
請求項１又は８に係る発明によれば、表示装置に表示されたコンテンツを閲覧する複数の閲覧者の間で交流を促すことができる。
【００１５】
請求項２に係る発明によれば、閲覧者が話しかけられたいときのみ、当該閲覧者の個人情報を表示部に表示させることができる。
【００１６】
請求項３に係る発明によれば、当該閲覧者が話しかけられたい者であることを他の閲覧者が容易に把握することができる。
【００１７】
請求項４に係る発明によれば、コンテンツの内容に応じた個人情報を表示させることができる。
【００１８】
請求項５に係る発明によれば、個人情報において共通点を有する複数の閲覧者に対して、交流を促すことができる。
【００１９】
請求項６に係る発明によれば、話しかけられたいと登録している複数の閲覧者の間に音声により交流を促すことができる。
【００２０】
請求項７に係る発明によれば、複数の閲覧者の間の会話の内容に応じたコンテンツを表示部に表示させることができる。
【図面の簡単な説明】
【００２１】
【図１】本実施形態に係るデジタルサイネージシステムの構成概略図である。
【図２】本実施形態に係るサーバの構成概略図である。
【図３】ユーザＤＢの内容例を示す概念図である。
【図４】本実施形態に係るデジタルサイネージの構成概略図である。
【図５】コンテンツと共に閲覧者の個人情報が表示された第１の表示例を示す図である。
【図６】コンテンツと共に閲覧者の個人情報が表示された第２の表示例を示す図である。
【図７】コンテンツを閲覧する閲覧者と、当該閲覧者の個人情報などが表示されたデジタルサイネージを示す図である。
【図８】コンテンツを閲覧する複数の閲覧者と、代表閲覧者の個人情報などが表示されたデジタルサイネージを示す図である。
【図９】本実施形態に係るデジタルサイネージの処理の流れを示すフローチャートである。
【発明を実施するための形態】
【００２２】
以下、本発明の実施形態について説明する。
【００２３】
図１には、本実施形態に係るデジタルサイネージシステム１０の構成概略図が示されている。デジタルサイネージシステム１０は、携帯端末１２、サーバ１４、及び、表示装置としてのデジタルサイネージ１６を含んで構成されている。デジタルサイネージシステム１０においては、携帯端末１２、サーバ１４、及びデジタルサイネージ１６は、インターネットあるいはＬＡＮ（Local Area Network）などからなる通信回線１８を介して互いに通信可能に接続されている。なお、図１には、携帯端末１２及びデジタルサイネージ１６が１つずつ示されているが、デジタルサイネージシステム１０としては、複数の携帯端末１２及び複数のデジタルサイネージ１６を有していてもよい。
【００２４】
デジタルサイネージシステム１０は、公共の場において情報を発信するためのシステムである。具体的には、サーバ１４がコンテンツをデジタルサイネージ１６に配信し、デジタルサイネージ１６が当該コンテンツを表示、あるいは表示と共に音声出力するものである。詳細は後述するが、デジタルサイネージシステム１０においては、デジタルサイネージ１６に表示されたコンテンツを閲覧する複数の閲覧者の間において交流を促す仕掛けが施されている。
【００２５】
デジタルサイネージシステム１０は、一定の目的を持った者が集まる空間において用いられる。本実施形態では、様々な業界あるいは職種の人達が集まるシェアードワークスペースにおいて用いられる。シェアードワークスペースは、一般に、新しいプロジェクトに参加するメンバーを集めることや、様々な人達が交流することによって仕事の価値をより高めることなどを目的としている。したがって、このようなシェアードワークスペースは、コンテンツを閲覧する複数の閲覧者の交流を促すデジタルサイネージシステム１０が効果的に用いられる場であるといえる。
【００２６】
もちろん、デジタルサイネージシステム１０としては、シェアードワークスペースに限らず、様々なシチュエーションにおいて利用されてもよい。例えば、デジタルサイネージシステム１０は、一定の目的を持った者が集まる空間以外にも、不特定多数の者が行き交う場（駅前など）においても用いられてもよい。
【００２７】
携帯端末１２は、例えば、デジタルサイネージシステム１０の利用者が携帯して使用するスマートフォンあるいはタブレット端末などである。携帯端末１２は、主に、当該利用者の個人情報を含む利用者情報をサーバ１４に登録するために用いられる。利用者は、携帯端末１２から、新規登録要求と共に利用者情報をサーバ１４に送信することによって、利用者情報がサーバ１４に登録される。なお、本明細書においては、デジタルサイネージシステム１０を利用する者（デジタルサイネージシステム１０が用いられている空間を利用する者ともいえる）を「利用者」と記載し、利用者のうち、デジタルサイネージ１６に表示されたコンテンツを閲覧する者を「閲覧者」と記載する。
【００２８】
携帯端末１２は、ＣＰＵ（Central Processing Unit）あるいはマイクロコンピュータなどから構成され携帯端末１２の各部を制御する制御部、ＲＯＭ（Read Only Memory）あるいはＲＡＭ（Random Access Memory）などから構成される記憶部、液晶パネルなどから構成される表示部、タッチパネルあるいはボタンなどから構成される入力部、及び、ネットワークアダプタなどから構成される通信部を含んで構成される。さらに、好ましくは、携帯端末１２は、携帯端末１２の位置を特定するＧＰＳ（Global Positioning System）部、あるいは、他の機器との間で、例えばブルートゥース（登録商標）通信などの近距離通信を行うための近距離通信部を含んでいてもよい。
【００２９】
なお、デジタルサイネージシステム１０は、携帯端末１２に代えて、据え置き型の端末を有するようにしてもよい。この場合、当該端末は、シェアードワークスペースの入口などに設置され、利用者がそこに入るときに当該端末を用いて自分の利用者情報を登録できるようになっているのが好ましい。
【００３０】
図２には、サーバ１４の構成概略図が示されている。サーバ１４は、以下に説明する機能を発揮する限りにおいてどのようなコンピュータで構成されてもよい。以下、サーバ１４が有する各部について説明する。
【００３１】
通信部２０は、例えばネットワークアダプタなどから構成される。通信部２０は、通信回線１８を介して携帯端末１２及びデジタルサイネージ１６と通信する機能を有する。例えば、通信部２０は、携帯端末１２から送信される利用者の利用者情報を受信する。あるいは、通信部２０は、後述の記憶部２２に記憶されたコンテンツ２４ａをデジタルサイネージ１６に送信する。
【００３２】
記憶部２２は、例えばハードディスク、ＲＯＭ、あるいはＲＡＭなどから構成される。記憶部２２にはサーバ１４の各部を動作させるためのプログラムが記憶される。また、図２に示されている通り、記憶部２２には複数のコンテンツ２４ａからなるコンテンツ群２４が記憶される。さらに、記憶部２２内において利用者ＤＢ２６が定義される。
【００３３】
コンテンツ２４ａは、上述の通りデジタルサイネージ１６に送信されてデジタルサイネージ１６から出力されるものである。コンテンツ２４ａは、画像のみならず音声を含んでいてもよい。後述の制御部２８（より詳しくはコンテンツ制御部３０）によって、コンテンツ群２４のうち、各デジタルサイネージ１６に送信されるコンテンツ２４ａが決定される。
【００３４】
コンテンツ２４ａは様々な内容であってよい。例えば、人材募集の記事であってもよいし、何らかの新規事業プロジェクトの内容を説明する記事であってもよいし、自己紹介記事であってもよいし、商品やサービスの宣伝広告であってもよい。
【００３５】
また、各コンテンツ２４ａには、その内容に応じた属性情報が付与されていてもよい。属性情報としては、例えば「ビジネス向け」、「趣味向け」、「宣伝用」、あるいは「人材募集用」などである。
【００３６】
コンテンツ２４ａは、コンテンツ提供者（例えば新規事業プロジェクトを立ち上げたものであって、当該プロジェクトに参加する人材を募集している者など）によって予め作成され、記憶部２２へ記憶（登録）される。また、各コンテンツ２４ａに付与される属性情報の内容もコンテンツ提供者により設定されてもよい。なお、コンテンツ提供者自身もデジタルサイネージシステム１０の利用者であってもよい。
【００３７】
利用者ＤＢ２６には、デジタルサイネージシステム１０の利用者に関する利用者情報が記憶される。利用者は、デジタルサイネージシステム１０の利用に先立って、携帯端末１２を用いて自らの利用者情報を入力する。入力された利用者情報は、携帯端末１２からサーバ１４へ送信される。それにより、利用者ＤＢ２６に各利用者の利用者情報が記憶（登録）される。あるいは、利用者ＤＢ２６に登録される利用者情報の少なくとも一部は、当該利用者の許可を得た上で、当該利用者が利用するＳＮＳ（Social Networking Service）に登録された情報をサーバ１４が収集するようにしてもよい。
【００３８】
図３には、利用者ＤＢ２６の内容例が示されている。図３においては、利用者ＤＢ２６はテーブル形式で表されており、１つのレコードが１人の利用者に対応するものとなっている。もちろん、利用者ＤＢ２６のデータ形式としてはテーブル形式に限られるものではない。携帯端末１２から新規登録要求と共に利用者情報が送信されると、利用者ＤＢ２６に当該利用者に対応する新たなレコードが追加される。
【００３９】
図３に示される通り、本実施形態において、利用者ＤＢ２６に格納される利用者情報は、利用者ＩＤ、顔画像データ、個人情報、話しかけられたいフラグ、及び位置情報公開フラグを含む。利用者ＤＢ２６においては、これらの情報が互いに関連付けられて記憶される。もちろん、利用者情報としてはその他の情報を含むようにしてもよい。
【００４０】
利用者ＩＤは、デジタルサイネージシステム１０の利用者を一意に識別する識別番号である。利用者ＩＤは、新規登録要求と共に利用者情報が送信された際に（すなわち新たなレコードが追加される際に）固有の番号が採番されて自動的に付与されてもよい。
【００４１】
顔画像データは、本実施形態では利用者の顔写真データである。顔写真データは、携帯端末１２から送信される。例えば、利用者は、携帯端末１２が有するカメラなどを用いて自らの顔写真を撮影する。そして、得られた顔写真データが個人情報と共にサーバ１４に送信されることで、利用者ＤＢ２６に格納される。後述するように、顔画像データは、デジタルサイネージ１６を閲覧する閲覧者を識別する際に用いられる情報である。したがって、顔画像データとしては、顔写真データに代えて、閲覧者の識別処理を可能とする情報（例えば顔の複数の特徴点を表す情報群）などであってもよい。
【００４２】
個人情報は、当該利用者のプロフィールを示す情報である。換言すれば、個人情報は、当該利用者の素性を示す情報であるともいえる。個人情報は、複数の項目を有していてもよい。本実施形態では、図３に示される通り、個人情報は、氏名、年齢、職種、スキル・保有資格、趣味、出会いたい人のタイプ、参加したいプロジェクトのタイプ、コメントなどを含む。もちろん、図３に示された個人情報の項目は一例であり、その他の項目が含まれていてもよい。これらの個人情報、すなわち複数の項目に対する値（内容）は、携帯端末１２において利用者により入力され、それがサーバ１４へ送信されることで利用者ＤＢ２６に格納される。なお、一旦利用者情報が利用者ＤＢ２６に登録された後であっても、利用者からの指示に基づいて個人情報の登録内容を変更することができるようになっていてもよい。
【００４３】
話しかけられたいフラグは、「１」（オン）と「０」（オフ）の２値を取り得る。話しかけられたいフラグが「１」である場合、当該利用者が他者から話しかけられたいという意思表示をしていることを表す。一方、話しかけられたいフラグが「０」である場合は、当該利用者が他者から話しかけられたくないという意思表示をしていることを表す。話しかけられたいフラグの値の設定は、携帯端末１２を用いて行うことができる。例えば、利用者は、個人情報と共に、自分が他者から話しかけられてもよいか否かを携帯端末１２に入力する。そして個人情報と共に話しかけられたいフラグの値が携帯端末１２からサーバ１４に送信される。また、詳細は後述するが、本実施形態においては、デジタルサイネージ１６を操作することによっても話しかけられたいフラグの値を設定することができるようになっている。
【００４４】
話しかけられたいフラグは、主に、デジタルサイネージ１６に利用者の個人情報が表示されるか否かの判定に用いられるものである。デジタルサイネージ１６が複数設けられた場合には、話しかけられたいフラグは、デジタルサイネージ１６毎に個別に設定することができるようになっていてもよい。これにより、例えば、ある利用者は、シェアードワークスペースにおいて比較的多くの人が閲覧し得る場所（例えば休憩所）に設置されたデジタルサイネージ１６においては個人情報を表示させず、特定の人達が閲覧し得る場所（例えば特定のプロジェクトに参加している人が集まるブース）に設置されたデジタルサイネージ１６には個人情報を表示させる、という設定をすることが可能になる。
【００４５】
また、話しかけられたいフラグの値も、一旦設定した後に、利用者からの指示に基づいて変更可能となっていてもよい。これにより、利用者としては、例えば昨日は話しかけられたくなかったので話しかけられたいフラグを「０」としたが、今日は話しかけられたいので話しかけられたいフラグを「１」とする、といったような設定が可能になる。
【００４６】
位置情報公開フラグは、「１」（オン）と「０」（オフ）の２値を取り得る。位置情報公開フラグが「１」である場合、当該利用者が自分の位置を他者に通知してもよいという意思表示をしていることを表す。一方、位置情報公開フラグが「０」である場合は、当該利用者が自分の位置を他者に通知したくないという意思表示をしていることを表す。位置情報公開フラグの値の設定も、携帯端末１２を用いて行うことができる。例えば、利用者は、個人情報と共に、自分の位置を他者へ通知してもよいか否かを携帯端末１２に入力する。そして、個人情報と共に位置情報公開フラグの値が携帯端末１２からサーバ１４に送信される。また、本実施形態においては、話しかけられたいフラグ同様、位置情報公開フラグも、デジタルサイネージ１６を操作することによっても設定することができるようになっている。
【００４７】
位置情報公開フラグは、デジタルサイネージ１６に利用者の位置情報が表示されるか否かの判定に用いられるものである。話しかけられたいフラグ同様、デジタルサイネージ１６が複数設けられた場合には、位置情報公開フラグも、デジタルサイネージ１６毎に個別に設定することができるようになっていてもよい。また、位置情報公開フラグも、一旦設定した後に利用者からの指示に基づいて変更可能となっていてもよい。
【００４８】
図２に戻り、制御部２８は、例えばＣＰＵなどから構成され、記憶部２２に記憶されたプログラムに従ってサーバ１４の各部を制御するものである。また、図２に示される通り、制御部２８は、コンテンツ制御部３０としても機能する。
【００４９】
コンテンツ制御部３０は、デジタルサイネージ１６に表示させるコンテンツを制御するものである。具体的には、記憶部２２に記憶されたコンテンツ群２４の中から１又は複数のコンテンツ２４ａを選択してデジタルサイネージ１６に送信する処理を行う。送信されたコンテンツ２４ａがデジタルサイネージ１６において表示される。コンテンツ制御部３０が選択するコンテンツ２４ａは、例えば、デジタルサイネージ１６の設置場所あるいは時間などに応じて決定されてもよい。また、１つのデジタルサイネージ１６に複数のコンテンツ２４ａを送信して、デジタルサイネージ１６において当該複数のコンテンツ２４ａを並列に同時表示、あるいは順次切り替えて表示させるようにしてもよい。また、コンテンツ制御部３０は、デジタルサイネージ１６付近における閲覧者の滞在時間、あるいは、デジタルサイネージ１６に対する閲覧者の操作などに応じて、当該デジタルサイネージ１６に表示されるコンテンツ２４ａを変更するようにしてもよい。
【００５０】
図４には、デジタルサイネージ１６の構成概略図が示されている。以下、図４を参照しつつ、デジタルサイネージ１６の各部について説明する。
【００５１】
通信部４０は、例えばネットワークアダプタなどから構成される。通信部４０は、通信回線１８を介してサーバ１４と通信する機能を有する。具体的には、通信部４０は、サーバ１４から送信されるコンテンツ２４ａを受信する。あるいは、通信部４０は、デジタルサイネージ１６に対する閲覧者からの操作に応じて、当該操作者に関する利用者情報をサーバ１４に送信することもできる。
【００５２】
また、通信部４０は、例えばブルートゥースアダプタなどを含んで構成されていてよく、ブルートゥース通信などの近距離通信を行う機能を有していてもよい。
【００５３】
表示部４２は、例えば液晶パネルなどから構成される。表示部４２は、サーバ１４から送信されたコンテンツ２４ａを表示するものである。さらに、後述するように、一定の条件を満たした場合には、表示部４２には閲覧者の個人情報などが表示される。あるいは、一定の条件を満たした場合には、表示されたコンテンツ２４ａを閲覧する複数の閲覧者の間に交流を促すための文字などが表示される。
【００５４】
また、表示部４２としては、透明又は半透明のスクリーンと、当該スクリーンにコンテンツ２４ａを投影するプロジェクタとを含んで構成されてもよい。表示部４２をこのような構成とすることで、閲覧者は、スクリーンの両面（おもて面と裏面）からコンテンツ２４ａを閲覧することが可能になる。もちろん、おもて面から見たときにコンテンツ２４ａが正対画像として見えるようにコンテンツ２４ａが表示されている場合は、裏面から見たときは、当該コンテンツ２４ａは反転（左右反転）画像として見えるようになる。したがって、例えば閲覧者の画面タッチなどの操作によって、おもて面と裏面のどちらに正対画像を表示させるかを切り替え可能となっているのが好ましい。当該切替は、例えばプロジェクタにおいて投影画像を左右反転させるようにしてもよい。あるいは、おもて面に正対画像を投影するプロジェクタと、裏面に正対画像を投影するプロジェクタの２つのプロジェクタを設け、閲覧者の操作によりコンテンツ２４ａを投影するプロジェクタを切り替えるようにしてもよい。
【００５５】
音声出力部４４は、例えばスピーカと当該スピーカの駆動回路などから構成される。コンテンツ２４ａが音声を含む場合は、表示部４２にコンテンツ画像が表示されると共に、音声出力部４４から当該音声が出力される。また、音声出力部４４からは、後述の交流促進通知部６２によって、複数の閲覧者の間において交流を促すための種々の音声が出力される。
【００５６】
入力部４６は、例えばタッチパネルあるいはボタンなどを含んで構成される。閲覧者は入力部４６を用いることで、種々の情報をデジタルサイネージ１６に入力することができる。本実施形態では、後述の制御部５４により、表示部４２上に種々のボタンが表示され、閲覧者がそれらのボタンを押すことで、種々の情報をデジタルサイネージ１６に入力することができる。
【００５７】
例えば、表示部４２上に、閲覧者が話しかけられたいか否かを設定するためのボタン、例えば話しかけられたいですか？という文字と共に表示される「はい」ボタン及び「いいえ」ボタンが表示され、閲覧者は当該ボタンをタッチすることで、話しかけられたいか否かを登録（つまり利用者ＤＢ２６における話しかけられたいフラグの値を設定）することができるようになっていてもよい。また、表示部４２上に、閲覧者の位置情報を公開するか否かを設定するためのボタンが表示され、閲覧者は当該ボタンをタッチすることで、位置情報を公開するか否かを登録（つまり利用者ＤＢ２６における位置情報公開フラグの値を設定）することができるようになっていてもよい。
【００５８】
音声入力部４８は、例えばマイクと増幅回路などから構成される。音声入力部４８は、デジタルサイネージ１６の周囲の音、特に、閲覧者の声を取得するものである。音声入力部４８が取得した閲覧者の声は、後述の制御部５４において解析され、その解析内容に基づいて決定された音声情報を音声出力部４４から音声として出力することが可能である。つまり、音声出力部４４と音声入力部４８により、閲覧者は、デジタルサイネージ１６と会話することが可能となっている。
【００５９】
撮像部５０は、例えばカメラなどである。本実施形態における撮像部５０は、表示部４２（例えば表示部４２の上縁）に設けられ、表示部４２の前方を撮影領域としている。つまり、撮像部５０は表示部４２の前方に来た者を撮影できるようになっている。
【００６０】
記憶部５２は、例えばハードディスク、ＲＯＭ、あるいはＲＡＭなどから構成される。記憶部５２にはデジタルサイネージ１６の各部を動作させるためのプログラムが記憶される。また、記憶部５２にはサーバ１４から送信されたコンテンツ２４ａ、あるいは、各種の制御データ、各種の処理結果データなどが記憶される。
【００６１】
制御部５４は、例えばＣＰＵやマイクロコントローラなどから構成される。制御部５４は、記憶部５２に記憶されたプログラムに従ってデジタルサイネージ１６の各部を制御する。また、図４に示される通り、制御部５４は、閲覧者識別部５６、関心度判定部５８、個人情報表示制御部６０、及び、交流促進通知部６２としても機能する。以下、制御部５４が有するこれらの機能について説明する。
【００６２】
閲覧者識別部５６は、表示部４２に表示されたコンテンツ２４ａを閲覧する閲覧者を検知する。また、閲覧者識別部５６は、検知した閲覧者を識別する処理を行う。本実施形態では、閲覧者識別部５６は、撮像部５０が取得した撮影画像に基づいて閲覧者を検知あるいは識別する。具体的には、閲覧者識別部５６は、撮影画像内に人が検出された場合に、閲覧者がいると検知する。さらに、閲覧者識別部５６は、撮影画像から抽出した人の顔と、サーバ１４の記憶部２２に記憶された利用者ＤＢ２６に登録された各顔画像データとの類似度を演算し、所定値以上の類似度を有する顔画像データのうち最も類似度の高い顔画像データを特定する。そして、特定された顔画像データに対応する利用者を閲覧者として識別する。閲覧者が複数いる場合は、閲覧者識別部５６は複数の閲覧者を識別することが可能である。
【００６３】
なお、撮影画像から抽出した人の顔と顔画像データとの類似度の演算は、既知の技術を用いて行うことができる。例えば、両顔画像から複数の特徴点を抽出し、特徴点間の距離などに基づいて両顔画像の類似度が演算されてもよい。
【００６４】
なお、閲覧者識別部５６は、上記以外の方法によって閲覧者を検知あるいは識別するようにしてもよい。例えば、利用者が利用者情報をサーバ１４に登録した後に、サーバ１４から携帯端末１２に利用者ＩＤが通知されるなどして、携帯端末１２に利用者ＩＤが記憶されている場合には、携帯端末１２を携帯した利用者がデジタルサイネージ１６に近付くと、携帯端末１２の通信部と、デジタルサイネージ１６の通信部４０との間で近距離通信が可能になる。閲覧者識別部５６は、当該近距離通信にてデジタルサイネージ１６が携帯端末１２から利用者ＩＤを受信したことをもって閲覧者を検知し、さらに、受信した利用者ＩＤと利用者ＤＢ２６とを照合して閲覧者を識別するようにしてもよい。
【００６５】
あるいは、閲覧者識別部５６は、シェアードワークスペース内で利用される専用携帯デバイスを用いて閲覧者を検知あるいは識別するようにしてもよい。当該専用携帯デバイスは、少なくとも利用者ＩＤが記憶されており、近距離通信機能を有している。そして、閲覧者識別部５６は、近距離通信によりデジタルサイネージ１６が専用携帯デバイスから利用者ＩＤを受信することで閲覧者を検知し、さらに、受信した利用者ＩＤと利用者ＤＢ２６とを照合して閲覧者を識別するようにしてもよい。
【００６６】
関心度判定部５８は、表示部４２に表示されたコンテンツ２４ａに対する、閲覧者識別部５６が識別した閲覧者の関心度を判定する。閲覧者が複数いる場合は、関心度判定部５８は、複数の閲覧者の関心度を判定する。本実施形態においては、関心度判定部５８は、撮像部５０が取得した撮影画像に基づいて閲覧者の関心度を判定する。
【００６７】
具体的には、関心度判定部５８は、撮影画像を解析することで検出される、デジタルサイネージ１６（より詳しくは表示部４２）から閲覧者までの距離、閲覧者がデジタルサイネージ１６付近にいる時間、閲覧者の視線方向の少なくとも一つに基づいて閲覧者の関心度を判定する。もちろん、関心度判定部５８は、これらの要素を複合して閲覧者の関心度を判定してもよい。
【００６８】
表示部４２と閲覧者の距離については、当該距離が小さい程、閲覧者のコンテンツ２４ａの関心度が高いと判定できる。これは、閲覧者は、関心の高いコンテンツ２４ａほど、より近くで見るのが一般的だからである。
【００６９】
また、閲覧者がデジタルサイネージ１６付近にいる時間が長い程、閲覧者のコンテンツ２４ａの関心度が高いと判定できる。これは、閲覧者がデジタルサイネージ１６付近にいる時間が長い程、表示部４２に表示されたコンテンツ２４ａを当該閲覧者がより長い時間閲覧していると推測でき、より長い時間閲覧しているのであれば、当該閲覧者は当該コンテンツ２４ａにより関心があると推測できるからである。閲覧者がデジタルサイネージ１６付近にいる時間は、閲覧者識別部５６が当該閲覧者を連続して検知している時間で検出できる。
【００７０】
また、閲覧者の視線方向が、表示部４２に向けられている時間が長い程、閲覧者のコンテンツ２４ａの関心度が高いと判定できる。閲覧者の視線方向は、例えば、撮影画像を解析することによって得られる、閲覧者の位置、閲覧者の顔の向き、閲覧者の目の形状、及び瞳孔の位置などに基づいて検出することができる。
【００７１】
関心度は、所定の指標で表されてもよい。一例を挙げれば、関心度を「１」から「１０」までの数値で表し、数値が高い程より当該コンテンツ２４ａに関心が高いことを示すものとしてもよい。例えば、表示部４２にコンテンツ２４ａを表示させた状態で、閲覧者識別部５６が閲覧者を３０秒以上連続して検知した場合は、関心度判定部５８は、当該閲覧者の当該コンテンツ２４ａに対する関心度を「１」から「２」へ変更する。さらに、閲覧者識別部５６が閲覧者を１分以上連続して検知した場合は、関心度判定部５８は、当該閲覧者の当該コンテンツ２４ａに対する関心度を「２」から「３」へ変更する。
【００７２】
また、表示部４２に複数のコンテンツ２４ａが並列に表示されている場合には、関心度判定部５８は、表示された複数のコンテンツ２４ａ毎の閲覧者の関心度を判定する。この場合は、関心度判定部５８は、複数のコンテンツ２４ａのうち、閲覧者が閲覧しているコンテンツ２４ａを特定し、特定されたコンテンツ２４ａを閲覧している時間に応じて、当該閲覧者の当該コンテンツ２４ａに対する関心度を判定する。表示された複数のコンテンツ２４ａのうち、閲覧者がどのコンテンツ２４ａを閲覧しているかは、閲覧者の視線方向を検出することによって特定可能である。
【００７３】
なお、本実施形態では、関心度判定部５８は、撮像部５０が取得した撮影画像に基づいて閲覧者の関心度を判定していたが、関心度判定部５８は、閲覧者からの入力に基づいて直接的に関心度を判定するようにしてもよい。例えば、制御部５４は、コンテンツ２４ａと共に、当該コンテンツの関心度を閲覧者に入力させるための複数のボタン、例えば当該コンテンツの関心度はどの位ですか？の文字と共に表示される「１」〜「１０」までのボタンを表示部４２に表示させる。そして、関心度判定部５８は、閲覧者によってタッチされたボタンに応じて当該閲覧者の当該コンテンツ２４ａに対する関心度を判定するようにしてもよい。
【００７４】
個人情報表示制御部６０は、表示部４２に表示されたコンテンツ２４ａに対する閲覧者の関心度が所定値以上になったときに、当該コンテンツ２４ａと共に、利用者ＤＢ２６に登録された当該閲覧者の個人情報を表示部４２に表示させる。ここでの所定値は、予め設定されていてよく、サーバ１４の記憶部２２又はデジタルサイネージ１６の記憶部５２に予め記憶されていてもよい。具体的には、関心度判定部５８が閲覧者（この閲覧者は閲覧者識別部５６により識別されている）のコンテンツ２４ａへの関心度が所定値以上であると判定されたことをトリガとして、個人情報表示制御部６０は、利用者ＤＢ２６を参照して、当該閲覧者の個人情報を取得する。そして、取得した個人情報を表示部４２に表示させる。
【００７５】
コンテンツ２４ａと共に閲覧者の個人情報が表示されることにより、当該閲覧者以外の者（例えば他の閲覧者、以下単に「他者」と記載する）は、当該閲覧者の素性と共に、当該閲覧者が当該コンテンツ２４ａに関心があるということを把握することができる。これにより、他者も当該コンテンツ２４ａに関心があるのであれば、他者は、当該閲覧者との間で当該コンテンツ２４ａという共通の興味があることが分かるので、当該コンテンツ２４ａを共通の話題として当該閲覧者に話しかけ易くなる。また、個人情報を見ることによって閲覧者の素性が分かるということも、他者が閲覧者に話しかけやすくなる要因となる。このように、コンテンツ２４ａと共に閲覧者の個人情報が表示されることは、他者が当該閲覧者に話しかけ易くなるという効果を奏する。また、閲覧者にしてみれば、自分から話しかけるのが苦手な場合であっても、自分が興味のあるコンテンツ２４ａを閲覧すれば、他者から話しかけられることが期待できる。
【００７６】
閲覧者の個人情報が表示されることで、当該閲覧者は他者から話しかけられる可能性が高まるといえる。したがって、他者から話しかけられたくない閲覧者は、あるコンテンツ２４ａへの関心度が所定値以上の場合であっても、当該閲覧者の個人情報が表示されることを望まない場合がある。そこで、個人情報表示制御部６０は、表示されたコンテンツ２４ａに対する閲覧者の関心度が所定値以上になり、且つ、利用者ＤＢ２６において当該閲覧者の話しかけられたいフラグが「１」である場合に、当該コンテンツ２４ａと共に当該閲覧者の個人情報を表示部４２に表示させるようにしてもよい。換言すれば、個人情報表示制御部６０は、表示されたコンテンツ２４ａに対する閲覧者の関心度が所定値以上になっても、当該閲覧者の話しかけられたいフラグが「０」である場合には、当該閲覧者の個人情報を表示させない。これにより、話しかけられたくない閲覧者の個人情報が表示されることが防止される。
【００７７】
また、あるコンテンツ２４ａに対するある閲覧者の関心度が所定値以上になり、且つ、利用者ＤＢ２６において当該閲覧者の話しかけられたいフラグが「１」である場合には、当該閲覧者の個人情報と共に、当該閲覧者が話しかけられたい者であることを示す文字を表示部４２に表示させてもよい。あるいは、当該閲覧者が話しかけられたい者であることを示す文字に代えてあるいは加えて、当該閲覧者が話しかけられたい者であることを示す図形（例えばアイコンあるいはマークなど）を表示させるようにしてもよい。これにより、他者から当該閲覧者への話しかけがより促される。
【００７８】
また、閲覧者の個人情報は、他者からの話しかけを促す目的で表示されるため、個人情報表示制御部６０は、閲覧者識別部５６が複数の閲覧者を検知した場合に、閲覧者の個人情報を表示させるようにしてもよい。換言すれば、閲覧者が一人しか検知されていない場合は、個人情報表示制御部６０は、当該閲覧者のコンテンツ２４ａに対する関心度が所定値以上であっても、当該閲覧者の個人情報を表示させないようにしてもよい。
【００７９】
また、表示されたコンテンツ２４ａに対する関心度が所定値以上となった閲覧者が複数いる場合には、個人情報表示制御部６０は、当該複数の閲覧者の個人情報を一定時間毎に切り替えるか、あるいは並列に表示させる。
【００８０】
また、上述のように、利用者ＤＢ２６に登録された個人情報は複数の項目を有するところ、個人情報表示制御部６０は、閲覧者の関心度が所定値以上と判定されたコンテンツ２４ａの内容に応じて複数の項目から選択された項目の内容を表示するようにしてもよい。例えば、コンテンツ２４ａが「ビジネス向け」という属性情報を有している場合は、個人情報のうちビジネスに関する項目の内容のみを表示させ、コンテンツ２４ａが「趣味向け」である場合には、個人情報のうち趣味趣向に関する項目の内容のみを表示させるようにしてもよい。
【００８１】
また、個人情報表示制御部６０は、利用者ＤＢ２６において当該閲覧者の位置情報公開フラグが「１」である場合には、個人情報と共に、閲覧者の位置情報を表示部４２に表示させるようにしてもよい。これにより、他者は、個人情報が表示された閲覧者をより見つけ易くすることができる。
【００８２】
閲覧者の位置情報は、例えば、撮像部５０が取得した撮影画像における当該閲覧者の位置に基づいて取得することができる。あるいは、閲覧者が携帯する携帯端末１２のＧＰＳ機能が取得した位置情報をデジタルサイネージ１６が近距離通信によって受信して、当該位置情報に基づいて閲覧者の位置情報を取得するようにしてもよい。
【００８３】
図５には、コンテンツ２４ａと共に閲覧者の個人情報７０が表示部４２に表示された第１の表示例が示されている。図５に示されるように、閲覧者「富士太郎」のコンテンツ２４ａに対する関心度が所定値以上となった場合、コンテンツ２４ａと共に、表示部４２の上部に閲覧者「富士太郎」の個人情報７０が表示される。図５に示すコンテンツ２４ａはビジネス向けの内容であり、その属性情報として「ビジネス向け」が付与されている。したがって、図５に示されるように、個人情報表示制御部６０は、利用者ＤＢ２６に記憶された個人情報に含まれる複数の項目のうち、ビジネスとは関連性が比較的低い項目である「趣味」の内容については表示せず、それ以外の項目の内容を表示している。
【００８４】
また、個人情報表示制御部６０は、閲覧者「富士太郎」の個人情報７０と共に、閲覧者「富士太郎」の顔写真７２を表示させるようにしてもよい。顔写真７２としては、利用者ＤＢ２６に登録されている閲覧者「富士太郎」の顔画像データを表示させればよい。なお、閲覧者によっては、顔写真が表示されるのを好まない者もいると考えられることから、閲覧者は、顔写真７２を表示させるか否かを予め登録しておき、閲覧者によって顔写真公開が許可されている場合にのみ顔写真７２を表示するようにしてもよい。また、利用者ＤＢ２６に顔画像データとは異なるシンボル画像を登録しておき、顔写真７２代えて、当該シンボル画像を表示させるようにしてもよい。
【００８５】
さらに、図５の例では、閲覧者「富士太郎」の話しかけられたいフラグが「１」であるため、個人情報７０と共に、閲覧者「富士太郎」が話しかけられたい者であることを示す文字７４が表示されている。上述のように、文字７４に代えてあるいは加えて、話しかけられたいことを示すアイコンやマークを表示してもよい。
【００８６】
図６には、コンテンツ２４ａと共に閲覧者の個人情報７０が表示部４２に表示された第２の表示例が示されている。コンテンツ２４ａに対する関心度が所定値以上となった閲覧者が複数いる場合は、図６に示されるように、当該複数の閲覧者のうち、代表閲覧者の個人情報７０及び顔写真７２を表示部４２に表示させると共に、他の閲覧者の顔写真８０を並列に表示させるようにしてもよい。図６の例では、代表閲覧者の個人情報７０及び顔写真７２が表示部４２の上部に、その他の閲覧者の複数の顔写真８０が表示部４２の下部に表示されている。顔写真８０が閲覧者によりタッチされると、タッチされた閲覧者の個人情報がポップアップなどによって表示されるようにしてもよい。なお、表示部４２の下部においては、現在コンテンツ２４ａを閲覧している閲覧者以外にも、過去に当該コンテンツ２４ａを閲覧して当該コンテンツ２４ａに対する関心度が所定値以上となった閲覧者の顔写真８０が表示されるようにしてもよい。例えば、表示部４２の上部には、現在コンテンツ２４ａを現在閲覧している複数の閲覧者に関する個人情報７０及び顔写真７２が順次切り替えて表示され、表示部４２の下部には、過去に当該コンテンツ２４ａを閲覧した閲覧者の顔写真８０が表示されるというように切り分けて表示するようにすることもできる。
【００８７】
図７には、コンテンツ２４ａを閲覧する閲覧者Ａと、閲覧者Ａの個人情報７０及び顔写真７２が表示されたデジタルサイネージが示されている。図７に示されるように、閲覧者Ａの個人情報７０あるいは顔写真７２が表示部４２に表示されることによって、他者は、閲覧者Ａがコンテンツ２４ａに関心を持っていることが容易に把握できる。且つ、「話しかけて下さい！」との文字７４が表示されることで、他者は、閲覧者Ａが話しかけられたい者であることを容易に把握できる。
【００８８】
図８には、コンテンツ２４ａを閲覧する複数の閲覧者Ａ〜Ｃと、代表閲覧者Ａの個人情報７０などが表示されたデジタルサイネージが示されている。図８においては、代表閲覧者Ａの個人情報７０などと共に、コンテンツ２４ａに関心を有している他の閲覧者Ｂ及びＣの顔写真８０も表示部４２に表示されている。これにより、閲覧者Ａとしても、閲覧者Ｂ及びＣがコンテンツ２４ａに関心を持っていることを把握できる。これにより、閲覧者Ａから閲覧者Ｂ及びＣに対して話しかけやすくなると共に、閲覧者Ａが閲覧者Ｂ及びＣから話しかけられた場合にも、比較的安心して対応することができる。
【００８９】
図４に戻り、交流促進通知部６２は、表示されたコンテンツ２４ａを閲覧する閲覧者が複数いる場合に、当該複数の閲覧者の間の交流を促すための種々の通知を行うものである。上述のように、個人情報表示制御部６０が閲覧者の個人情報を表示させることによっても複数の閲覧者の間での交流が促されるのであるが、交流促進通知部６２は、特に、複数の閲覧者の個人情報において共通点が存在する場合に、当該複数の閲覧者の間の交流を促す通知を行うものである。
【００９０】
例えば、図８に示すように、同一のコンテンツ２４ａを閲覧する閲覧者Ａと閲覧者Ｂがいる場合を考える。この場合、閲覧者識別部５６が閲覧者Ａ及びＢを識別すると、交流促進通知部６２は、利用者ＤＢ２６を参照して、閲覧者Ａ及びＢの個人情報を比較する。そして、閲覧者Ａ及びＢの個人情報に共通点が存在する場合、例えば、閲覧者Ａ及びＢが共に、項目「参加したいプロジェクトのタイプ」の内容が「新規事業プロジェクト」である場合は、交流促進通知部６２は、「閲覧者Ａさんと閲覧者Ｂさんの参加したいプロジェクトのタイプは、共に、新規事業プロジェクトです。」という文字を表示部４２に表示させる。これにより、閲覧者Ａ及びＢは、互いに、新規事業プロジェクトに参加したいということが把握でき、閲覧者Ａ及びＢの間における交流がより促されるといえる。特に、交流促進通知部６２からの通知によれば、閲覧者Ａから閲覧者Ｂへの話しかけ、及び、閲覧者Ｂから閲覧者Ａへの話しかけの双方が促される。
【００９１】
なお、ここでの「共通点が存在する場合」とは、個人情報の同一の項目に対する内容が同等である場合のみならず、例えば、閲覧者Ａの項目「スキル・保有資格」の内容が「ＨＴＭＬ」である場合に、閲覧者Ｂの項目「出会いたい人のタイプ」の内容が「ＨＴＭＬのスキルを有する人」のように、両者の個人情報の内容がマッチングしている場合を含むものである。
【００９２】
また、交流促進通知部６２は、識別された複数の閲覧者の話しかけられたいフラグがいずれも「１」である場合には、当該複数の閲覧者に対して音声出力部４４から音声を出力して複数の閲覧者に話しかけることで、複数の閲覧者の間の交流を促すようにしてもよい。例えば、閲覧者Ａと閲覧者Ｂがいずれも話しかけられたいと登録している場合に、交流促進通知部６２は、「Ａさん、Ｂさん、表示されたコンテンツ２４ａについてどう思いますか？」などというような音声を出力する。出力される音声の内容は、閲覧者Ａと閲覧者Ｂの共通の話題であるのが好ましい。共通の話題は、閲覧者Ａ及びＢの個人情報における共通点から特定することが可能である。
【００９３】
交流促進通知部６２が出力する音声の一例としては、複数の閲覧者に会話のキャッチボールを促すもの、あるいは体を動かすこと（例えばじゃんけんなど）を促すものなどであってよい。さらに、複数の閲覧者の会話の内容を音声入力部４８が取得し、当該会話の内容に応じて、表示部４２の表示内容を変更するようにしてもよい。例えば、音声入力部４８が取得した複数の閲覧者の会話を制御部５４が解析し、１又は複数のキーワード（例えば「新規プロジェクト」及び「参加」など）を抽出する。そして、抽出したキーワードをサーバ１４へ送信する。キーワードを受信したサーバ１４の制御部２８は、コンテンツ群２４の内容を解析し、受信したキーワードに応じたコンテンツ２４ａ（例えば新規プロジェクトへの人材募集記事）を特定する。そして、特定されたコンテンツ２４ａがデジタルサイネージ１６へ送信され、表示部４２に表示させる。
【００９４】
また、表示部４２が透明又は半透明のスクリーンとプロジェクタで構成されている場合には、スクリーンのおもて面側にいる閲覧者は、スクリーンの裏面側にいる閲覧者を視認できる。したがって、スクリーンの両面にそれぞれ閲覧者がいる場合であっても、交流促進通知部６２が当該複数の閲覧者に向けて音声を出力することで、スクリーンの両面側にいる複数の閲覧者の間において交流を促すことができる。
【００９５】
また、デジタルサイネージ１６が２つあるいはそれ以上並べられて設置されている場合に、当該一群のデジタルサイネージ１６が連動して、当該一群のデジタルサイネージ１６を閲覧する複数の閲覧者の間の交流を促すことも可能である。例えば、各デジタルサイネージ１６を閲覧する複数の閲覧者の個人情報に共通点がある場合、各デジタルサイネージ１６の交流促進通知部６２が連動して当該一群のデジタルサイネージ１６を閲覧する複数の閲覧者に共通の話題に関する音声を出力することが可能である。
【００９６】
デジタルサイネージ１６を閲覧したことがきっかけとなって複数の閲覧者が交流した場合、当該複数の閲覧者は、交流があったことをデジタルサイネージ１６に入力することができる。具体的には、表示部４２に交流があった複数の閲覧者の利用者ＩＤなどを入力する入力欄を表示させて複数の閲覧者に入力させる。交流があった複数の閲覧者はサーバ１４に登録されると共に、サーバ１４は、当該複数の閲覧者の個人情報を各閲覧者に提供することができる。例えば、サーバ１４に閲覧者の連絡先が登録されていれば、サーバ１４は、閲覧者の連絡先あるいは個人情報を交流相手の連絡先に送信するようにしてもよい。
【００９７】
本実施形態に係るデジタルサイネージシステム１０は以上の通りである。以下、図９に示されたフローチャートに従って、デジタルサイネージ１６の処理の流れについて説明する。なお、図９のフローチャートの開始時点において、各利用者の利用者情報は登録済みであり、また、デジタルサイネージ１６はスリープ状態であるとする。なお、スリープ状態とは節電状態であり、入力部４６、撮像部５０、及び閲覧者識別部５６を含む一部のみ動作している状態である。
【００９８】
ステップＳ１０において、閲覧者識別部５６は、デジタルサイネージ１６付近に人を検知したか否かを判定する。デジタルサイネージ１６付近に人が来るまでは、デジタルサイネージ１６はスリープ状態を維持する。閲覧者識別部５６が人を検知した場合はステップＳ１２に進む。
【００９９】
ステップＳ１２において、デジタルサイネージ１６はスリープ状態から通常動作状態へ復帰し、制御部５４は、サーバ１４から受信したコンテンツ２４ａを表示部４２に表示させる。
【０１００】
ステップＳ１４において、閲覧者識別部５６は、撮像部５０が取得した撮影画像に基づいて、ステップＳ１０で検知した人を識別する。
【０１０１】
ステップＳ１６において、関心度判定部５８は、ステップＳ１２で表示されたコンテンツ２４ａに対する、ステップＳ１４で識別された人（閲覧者）の関心度を判定する。
【０１０２】
ステップＳ１８において、個人情報表示制御部６０は、ステップＳ１６で判定された閲覧者の関心度が所定値以上であるか否かを判定する。閲覧者の関心度は刻々と変化し得るため、閲覧者の関心度が所定値未満である場合は、再度ステップＳ１６に戻る。当該閲覧者の関心度が所定値未満である限りにおいて、閲覧者識別部５６が当該閲覧者を検知しなくなるまで（つまり当該閲覧者がデジタルサイネージ１６から離れるまで）、ステップＳ１６とＳ１８の処理が繰り返される。ステップＳ１８で閲覧者の関心度が所定値以上であると判定されるとステップＳ２０に進む。
【０１０３】
ステップＳ２０において、個人情報表示制御部６０は、利用者ＤＢ２６を参照し、当該閲覧者の話しかけられたいフラグが「１」であるか否かを判定する。「１」である場合はステップＳ２２に進み、「０」である場合は処理を終了する。
【０１０４】
ステップＳ２２において、個人情報表示制御部６０は、ステップＳ１２で表示されたコンテンツ２４ａと共に、当該閲覧者の個人情報を表示部４２に表示させる。
【０１０５】
以上、本発明に係る実施形態を説明したが、本発明は上記実施形態に限られるものではなく、本発明の趣旨を逸脱しない限りにおいて種々の変更が可能である。
【０１０６】
例えば、本実施形態に係るデジタルサイネージシステム１０においては、サーバ１４においてデジタルサイネージ１６に表示されるコンテンツ２４ａが一括管理されていたが、表示コンテンツの制御はデジタルサイネージ１６が行うようにしてもよい。すなわち、コンテンツ制御部３０の機能をデジタルサイネージ１６の制御部５４が有していてよく、コンテンツ群２４がデジタルサイネージ１６の記憶部５２に記憶されていてもよい。さらに、サーバ１４を省き、デジタルサイネージシステム１０を携帯端末１２とデジタルサイネージ１６からなる構成とすることができる。この場合は、サーバ１４が有していたコンテンツ群２４、利用者ＤＢ２６、及びコンテンツ制御部３０を全てデジタルサイネージ１６が有することとしてもよい。
【０１０７】
また、本実施形態に係るデジタルサイネージ１６の制御部５４が有する、閲覧者識別部５６、関心度判定部５８、個人情報表示制御部６０、及び交流促進通知部６２の各機能をサーバ１４側に持たせるようにしてもよい。この場合、撮像部５０が取得した撮影画像は逐次デジタルサイネージ１６からサーバ１４へ送信される。サーバ１４側に設けられた閲覧者識別部５６及び関心度判定部５８は、受信した撮影画像に基づいて処理を行う。また、サーバ１４側に設けられた個人情報表示制御部６０は、閲覧者の個人情報を表示部４２に表示させるための表示指示をデジタルサイネージ１６に送信する。また、サーバ１４側に設けられた交流促進通知部は、複数の閲覧者に交流を促すための通知を出力させるための出力指示をデジタルサイネージ１６に送信する。
【符号の説明】
【０１０８】
１０  デジタルサイネージシステム、１２  携帯端末、１４  サーバ、１６  デジタルサイネージ、２０，４０  通信部、２２，５２  記憶部、２４  コンテンツ群、２４ａ  コンテンツ、２６  利用者ＤＢ、２８，５４  制御部、３０  コンテンツ制御部、４２  表示部、４４  音声出力部、４６  入力部、４８  音声入力部、５０  撮像部、５６  閲覧者識別部、５８  関心度判定部、６０  個人情報表示制御部、６２  交流促進通知部。
【図１】
2018160213.tif 000003
【図２】
2018160213.tif 000004
【図３】
2018160213.tif 000005
【図４】
2018160213.tif 000006
【図５】
2018160213.tif 000007
【図６】
2018160213.tif 000008
【図７】
2018160213.tif 000009
【図８】
2018160213.tif 000010
【図９】
2018160213.tif 000011